(57)【要約】【課題】感知式燈座が取り付け環境によって感知効果の不良に導く問題を解決する。【解決手段】全方角感知式燈座に関し、特に最少一つの感知器を備える全方角感知式燈座に関するもので、前記感知器と燈座の間は延伸線をもって連接され、感知器は死角のない如何なる角度及び方向へ取り付けることができ、それによって環境中の光線及び温度を感知し、燈座の点燈または燈消しを制御する。【選択図】図１
0003151666.tif 000002
【実用新案登録請求の範囲】
【請求項１】
全方角感知式燈座であって、
少なくとも一つの測定孔121とフード頂上11を備えたフード10を備え、フード頂上11には収納孔111を備え、
フード頂上11の収納孔111内に設置された燈座ヘッド20を備え、フード10は燈座ヘッド20を軸心として回転可能に燈座ヘッド20に結合され、
収納空間13内に設置された基盤30を備え、基板30の底面には電球と結合可能な口銅31を備え、基板30には固定感知器32を備え、固定感知器32は感知孔121に対応して設置され、基板30は燈座ヘッド20と電気的に連接し、基板30の固定感知器32はフード10に伴って同調回転することができ、基板30には活動感知ユニット34を備え、活動感知ユニット34は延長線341及び感知器342を備え、延長線341の一端は基板30に連接され、他の一端は感知器342に連接されることを特徴とする、
全方角感知式燈座。
【請求項２】
固定感知器32は光感知器であり、感知器342は温度感知器であることを特徴とする請求項１記載の全方角感知式燈座。
【請求項３】
フード10のフード頂上11の内壁表面には更に定位環112が内側へ突き出して設けられ、定位環112の底面には複数個の定位凹溝114を備え、燈座ヘッド20は交互に配列する複数個の固定片21及び弾性片22を備え、それら固定片21の底縁は外へ延伸して下定位部211を形成し、弾性片22の底縁から所定の高さ離れた外表面は外へ突き出して上定位部221が形成されることを特徴とする請求項１記載の全方角感知式燈座。
【考案の詳細な説明】
【技術分野】
【０００１】
本考案は全方角感知式燈座（照明装置）に関するものである。
【背景技術】
【０００２】
従来の感知機能のある燈座内には範囲内に人が進入したかを測定する感知器を備え、それは周囲環境に対して光線または温度の測定を行うことができ、環境内の光線が不良のときに人が測定範囲内に進入したと感知した場合は燈座を始動して照明を提供する。従来の感知器は燈座内に固定されて移動不能であるので、感知器が感知可能の範囲は固定され、周囲環境の品物、建物の阻害を受けやすく、感知効果が悪くなり、これらの欠点は従来の感知機能のある燈座の応用性を制限する。
【考案の概要】
【考案が解決しようとする課題】
【０００３】
本案の目的は感知式燈座が取り付け環境によって感知効果の不良に導く問題を解決するものである。
【課題を解決するための手段】
【０００４】
全方角感知式燈座で、それは次のものを含む：
フード(hood)、それには最少一つの感知孔及びフード頂上を備え、フード頂上には収納孔を備える。
燈座ヘッド(head)、その燈座ヘッドはフード頂上の収納孔内に設置され、前記フードは燈座ヘッドの軸心をもって回転可能に燈座ヘッドに結合される。
基板、それはフード内に設置され、かつ底面には電球と結合可能な口銅を備え、基板には固定感知器を備え、固定感知器は感知孔に対応して設置され、基板と燈座ヘッドは電気的に連接し、基板の固定感知器はフードに伴って同調回転し、基板には活動感知ユニット(unit)を備え、活動感知ユニットは延長線と感知器を備え、延長線の一端は基盤に連接され、他の一端は感知器に連接される。
【考案の効果】
【０００５】
本案の目的及び効果は活動感知ユニットを備える全方角感知式燈座を提供するもので、その活動感知ユニットには延長線及び感知器を備え、感知器は可動に適当な受け取り個所に取り付けることができ、それによって環境中の光線または温度を感知することができ、感知式燈座は正確に点燈または燈消しする。
【図面の簡単な説明】
【０００６】
【図１】本考案の立体分解図である。
【図２】本考案の組み合わせ外観図である。
【図３】図２の3−3断面の断面図である。
【図４】本考案の縦断面図及び取り付け意表図である。
【図５】本考案の縦断面図及び実施例図（一）である。
【図６】本考案の縦断面図及び実施例図（二）である。
【図７】本考案の実施例図（三）である。
【考案を実施するための形態】
【０００７】
[実施例]
図１から図４に示す全方角感知式燈座を参照ください。その全方角感知式燈座はフード10を備え、フード10にはフード頂上11を備え、フード頂上11には収納孔111を備え、収納孔11の内壁表面には更に内側に定位環112が突き出して設けられ、定位環112の底面には複数個の定位凹溝114を備え、フード頂上11の内壁の収納孔111近くには定位塊115が設けられてある。
【０００８】
フード壁12、それはフード頂上11の縁から下へ延伸し、フード壁12には最少一つの感知孔121、警示孔122及びスイッチ(switch)孔123を備える。フード壁12の縁に設けられる底蓋40、その底蓋40には孔41を備え、フード10と底蓋40は互いに結合して収納空間13を形成する。
【０００９】
燈座ヘッド20、その燈座ヘッド20はフード頂上11の収納孔111内に設置され、前記フード10は燈座ヘッド20を軸心として回転可能に燈座ヘッド20に結合される。燈座ヘッド20は更に底縁を取り捲って下へ延伸する複数個の固定片21及び弾性片22を備え、それら固定片21と弾性片22は交互に配列し、それら固定片21の底縁は外へ延伸して下定位部211を形成し、最少一つの下定位部211は外へ延伸して当て片212が設けられ、弾性片22の底縁から所定の高さ離れた外表面は外へ突き出して上定位部221が形成され、それら上定位部221は上へ内向きに斜面が収縮され、かつそれら下定位部211の頂上面には更に突起213を備える。
【００１０】
基板30、それは収納空間13内に設置され、かつ基板30の底面には電球50と結合可能な口銅31を備え、基板30には固定感知器32及び警示燈33を備え、固定感知器32と警示燈33はそれぞれ感知孔121及び警示孔122に対応して設置され、基板30は燈座ヘッド20と連接し、燈座ヘッド20は更に支え202及び支え202の外側に取り付けられる金属部材201を含み、かつ金属部材201の内側底端には正極電線203を備え、支え202の側面には金属部材201の側壁と電気的接触する負極電線205を通すことに用いられる孔204を備え、正極電線203と負極電線205の他の一端は基板30に連接され、かつ基板30は更に調整スイッチ35を含み、調整スイッチ35はスイッチ孔123に対応して設置し、基板30に連接される。
【００１１】
上述技術手段に基づき、図３から図６に示すように、燈座ヘッド20はフード10のフード頂上11の収納孔111内に取り付けられ、燈座ヘッド20の弾性片22の上定位部221は上へ収縮して単一方向の斜面になり、かつ弾性片22には弾性があって簡単に曲げることができるので、燈座ヘッド20は容易に収納孔111内に挿入されるが、それは片方向の斜面しかあるので、燈座ヘッド20が下へ滑り出すことを防ぎ、また、それら固定片21の下定位部211はそれぞれ違う方向に突き出しているので、燈座ヘッド20は更に上へ滑り移動できなく、言い換えれば、フード10は燈座ヘッド20の上定位部221と下定位部211の間に位置限定される。
【００１２】
燈座ヘッド20とフード10が結合した後、フード10は燈座ヘッド20を軸心として回転することができるが、それら弾性片20及びそれらフード頂上11の収納孔111の定位環112が結合するので、定位環112の定位凹溝114と固定片21の突起213は相対して結合し、定位凹溝114は突起213と相対して定位し、そのためにフード10は燈座ヘッド20を軸心として回転することができるが、任意の外力によって不規則に回転することは難しく、また下定位部211には当て片212を備えるので、フード10を回転した場合、定位塊115と下定位部211の当て片212は対応して阻害し、フード10は360度近く回ることができ（図５はフード10が180度の位置へ回ったことを示す）、無制限に回転するのではなく、燈座ヘッド20と基板30間の連接線は連接を保持し、ねじられて切断することにならない。
【００１３】
基板30の固定感知器32は感知孔121を通じて環境中の光源の変化を感知し、ランプ(lamp)を点燈または燈消しすることができ、かつフード10の回転可能の特性により、固定感知器32は平面に於いて全方角に感知可能である。基板30の警示燈33はランプが正常に点燈できない場合に点燈し、使用者は燈座またはランプが故障したかを明確にわかることができる。基板の活動感知ユニット34の延長線341及び感知器342は延長線341の到達可能の範囲内で任意に設置することができ、甚だしくは障害物を避けることができ、感知の範囲はまったく制限なしといえることができ、感知器342は如何なる到達可能の位置で環境温度の感知を行うことができ、一旦人が感知器342の感知可能の範囲から通ると燈座は点燈し、人が離れると消える。基本的に、調整スイッチ35は遅延スイッチであり、燈座の感知状況が正常に回復してから、ランプが持続に点燈した後に消える時間を調整することに用いられる。口銅31は電球の取り付けに用いられる。
【符号の説明】
【００１４】
10     フード
11     フード頂上
111    収納孔
112    定位環
114    定位凹溝
115    定位塊
12     フード壁
121    感知孔
122    警示孔
123    スイッチ孔
13     収納空間
20     燈座ヘッド
201    金属部材
202    支え
203    正極電線
204    孔
205    負極電線
21     固定片
211    下定位部
212    当て片
213    突起
22     弾性片
221    上定位部
30     基板
31     口銅
32     固定感知器
33     警示燈
34     活動感知ユニット
341    延長線
342    感知器
35     調整スイッチ
40     底蓋
41     孔
50     電球
【図１】
0003151666.tif 000003
【図２】
0003151666.tif 000004
【図３】
0003151666.tif 000005
【図４】
0003151666.tif 000006
【図５】
0003151666.tif 000007
【図６】
0003151666.tif 000008
【図７】
0003151666.tif 000009